(57)【要約】【課題】台所周りでの油汚れの洗浄に用いる安全性と、汚れ落とし性、拭き残り、手触りに優れた使用感を備えた清掃用シートの提供。【解決手段】炭素数が８から２２である脂肪酸のトリグリセリン脂肪酸モノエステル比率が５０重量％以上であるポリグリセリン脂肪酸エステルを１〜１０重量％、炭素数が８から１２である脂肪酸の少なくとも１つとグリセリンからなるグリセリンモノ脂肪酸エステルを０．１〜３．０重量％含む薬液が不織布に付与されていることを特徴とする清掃用シート。【選択図】　選択図なし【特許請求の範囲】
【請求項１】
炭素数が８から２２である脂肪酸のトリグリセリン脂肪酸モノエステル比率が５０重量％以上であるポリグリセリン脂肪酸エステルを１〜１０重量％、炭素数が８から１２である脂肪酸の少なくとも１つとグリセリンからなるグリセリンモノ脂肪酸エステルを０．１〜３．０重量％含む薬液が不織布に付与されていることを特徴とする清掃用シート。
【請求項２】
薬液が、さらにエタノールを１〜３０重量％含むことを特徴とする請求項１に記載の清掃用シート。
【請求項３】
不織布の拭き取り面の面積率２０％以上が、単糸径０．２〜５．０μｍの繊維である極細繊維を含む素材であることを特徴とする請求項１または２に記載の清掃用シート。
【発明の詳細な説明】
【０００１】
【発明の属する技術分野】
本発明は清掃用シートに関する。更に詳しくは台所周辺や台所用品の油汚れを清掃するのに適した洗浄性、安全性、優れた使用感を兼ね備えた清掃用シートに関する。
【０００２】
【従来の技術】
調理によって飛び散った油汚れや、それが酸化して固着した油汚れは、一般家庭や、調理厨房で清掃しにくい汚れの一つであり、一般に界面活性剤、アルカリ剤、溶剤を配合した洗浄剤が用いられていたり、洗浄液を紙製のシートに含浸させたウエットクリーナーが使用されたりしている。同時に、台所や厨房周りでは食生活の安全性を保つために汚れの洗浄とともに、より安全性の高い洗浄剤が求められている。
【０００３】
従来より人体洗浄用や、食品、食品容器の洗浄作業用に、安全性の高い洗浄剤として、ポリグリセリン脂肪酸エステルが使用されており、たとえば、特開平９−２１７０８８号公報にはモノエステル体の含有量の高いポリグリセリンモノ脂肪酸エステルが頭髪の洗浄用に有効であることが開示されている。また、特開２００２−２４８１９２号公報には安全性の高い洗浄剤組成物として主としてトリグリセリンの脂肪酸エステルからなる洗浄剤組成物の例が開示されている。しかしながら、油で汚れた台所の周辺、たとえば、壁、ガスレンジ、カウンター、あるいは、台所家電用品、たとえば、冷蔵庫や、炊飯器に付着した油汚れの清掃に適した清掃用具についてはなんら開示されていない。
【０００４】
一方、清掃用具の一つとして洗浄成分を不織布等の布帛に含浸させた清掃用シートが知られているが、従来からその製造工程や使用時において落下菌等、空気中に存在する細菌類やカビ等の真菌類が混入し、これらが保管中に基材である不織布上で繁殖することがある。この状態で清拭操作を行うと拭き取り面をかえって汚染してしまうという問題点があった。このため、以前からウエットティッシュにはパラベン等が添加され、基材上で細菌類やカビ等の真菌類の繁殖を防止していた。しかしながら、パラベンは、細菌類やカビ等の真菌類の繁殖抑制効果が高いものの、消費者の安全意識が高まるにつれて、より安全性が高く、繁殖抑制効果が高い薬剤が求められていた。パラベンを使用せずに細菌類やカビ等の真菌類の繁殖を抑制するには、通常のウエットティッシュに除菌剤や殺菌剤、速乾剤として使用されるアルコールの濃度を高くすることが考えられる。しかし、アルコール濃度が高いと、皮膚が弱い人が使用した場合、皮脂を必要以上に除去し、手荒れを起こしたり、刺激臭が強かったりと言う問題点があった。
【０００５】
【発明が解決しようとする課題】
本発明の目的は安全性が高く、台所周りの油汚れの洗浄の効果が高く、かつ、優れた使用感を兼ね備えた清掃用シートを提供することである。
【０００６】
【課題を解決するための手段】
本発明者らは、前記課題を解決するために鋭意検討した結果、特定のポリグリセリン脂肪酸エステルと、特定のグリセリン脂肪酸エステルからなる薬液を含む清掃用シートが上記の課題を解決することを見いだし、本発明をなすに至った。すなわち、本発明は、
（１）炭素数が８から２２である脂肪酸のトリグリセリン脂肪酸モノエステル比率が５０重量％以上であるポリグリセリン脂肪酸エステルを１〜１０重量％、炭素数が８から１２である脂肪酸の少なくとも１つとグリセリンからなるグリセリンモノ脂肪酸エステルを０．１〜３．０重量％含む薬液が不織布に付与されている清掃用シート、（２）薬液が、さらにエタノールを１〜３０重量％含む（１）に記載の清掃用シート、および、（３）不織布の拭き取り面の面積率２０％以上が、単糸径０．２〜５．０μｍの繊維である極細繊維を含む素材である（１）または（２）に記載の清掃用シートである。
【０００７】
【発明の実施の形態】
以下、本発明について、特にその好ましい実施態様を中心に、詳細に説明する。
本発明の洗浄成分として用いられるポリグリセリン脂肪酸エステルは、脂肪酸とポリグリセリンと反応物からなり、脂肪酸の炭素数は、８から２２の範囲である。直鎖状、分岐状および、飽和、不飽和の脂肪酸の中から、１種、または、２種以上の混合物を用いることができる。例えば、カプリル酸、カプリン酸、ラウリン酸などが挙げられる。脂肪酸の炭素数が２２を越えると粘度が高くなりすぎて取り扱いが困難になり、一方、炭素数が８未満では、十分な洗浄効果が得られないと同時に特有の臭気を発生し、本発明の使用には適さない。
【０００８】
また、ポリグリセリン脂肪酸エステル中にはポリグリセリンの縮合度が３のポリグリセリンと脂肪酸のモノエステル比率が５０重量％のものが用いられる。このようなポリグリセリン脂肪酸モノエステル含有量の高いポリグリセリン脂肪酸エステルは、例えば特開平９−２１７０８８号公報に記載のように、グリシドールと脂肪酸との付加重合によって得ても良いし、特開２００２−６０７８３号公報に記載のように、あらかじめポリグリセリン中のトリグリセリン含有量を、減圧蒸留や、分子蒸留などの定法により高めたポリグリセリンと脂肪酸を反応させた後、減圧蒸留や、分子蒸留などの定法によりさらに、分取することによって得てもよい。トリグリセリン脂肪酸モノエステルの含有量が５０重量％未満では、反応後のポリグリセリン脂肪酸エステルに十分な洗浄力が得られない。なお、トリグリセリン脂肪酸モノエステルの含有量は、高速液体クロマトグラフィーを用いて測定される。
【０００９】
本発明の清掃用シートに含まれる薬液にはポリグリセリンモノ脂肪酸エステルが１〜１０重量％含有されなければならない。１重量％未満では十分な洗浄作用が得られず、一方、１０重量％以上では、洗浄液の泡立ちが多かったり、洗浄液のぬめり感が高すぎたりして、好ましくない。
次に、本発明に用いられるグリセリンモノ脂肪酸エステルについて説明する。グリセリンモノ脂肪酸エステルは、食品添加物として広く安全性が高いことが知られており、本発明では清掃用シートの防かび性を付与するために加えられる。炭素数が８から１２である脂肪酸のグリセリンモノエステルが用いられる。炭素数が８未満では防腐効果が小さく、一方１２を越えると泡立ちが大きくなり好ましくない。また、グリセリンモノ脂肪酸エステルの含有量は、０．１から３重量％の範囲で用いられる。０．１重量％未満では十分な防腐効果が得られず、一方、３．０重量％を越えると、洗浄液の泡立ちやぬめり感が高すぎたり、溶解性が悪くなったりして好ましくない。
【００１０】
本発明の清掃用シートに含まれる薬液には、手触りと、拭き残りをさらに良好に保つために１から３０重量％のエタノールを含有させることが好ましい。手触りや、拭き残りの改良の点で１重量％以上、アルコール特有の臭気を抑制する観点から３０重量％以下が好ましい。
次に、本発明に用いられる不織布について説明する。本発明に用いられる不織布の素材は限定されるものではない。例えば、コットン、ビスコースレーヨン、キュプラレーヨン等のセルロース系の繊維素材、アクリル、ポリエステル、ナイロン、ポリプロピレン等の合成繊維系の素材等が用途に応じて用いられる。また、これらの素材が混合されていてもよい。素材の混合の状態も限定されず、繊維同士が混合されていてもよいし、層状に複合されていてもよい。
【００１１】
また、本発明における不織布を構成する繊維の繊度も特に限定されないが、拭き取り面が極細繊維を含む素材で不織布を構成すれば、清掃用シートの表面積が増加し、拭き取り性が向上するので好ましい。特にアクリル系の割繊、フィブリル化した超極細繊維を用いれば、拭き取り性も向上し、親水性も向上するのでより好ましい。
ここで、拭き取り面が極細繊維を含む素材のなかでも拭き取り面となる不織布表面のうち、面積率２０％以上が単糸径０．２〜５．０μｍの繊維であることが好ましい。単糸径が５μｍ以下であれば油分や固形汚れ等の拭き取り効果に優れ、０．２μｍ以上であれば摩擦による単繊維の切断を抑えることができる。より好ましくは面積率４０％以上が単糸径０．３〜４．０μｍの繊維であり、最も好ましくは面積率６０％以上が単糸径０．３５〜３．５μｍの繊維である。ここでいう単糸径とは、単繊維の断面が円状の場合の直径をいい、断面が楕円状の場合は長径を、扁平の場合は最大幅がこれに相当する。面積率は数式（１）で与えられる。
面積率（％）＝（単糸径が所定範囲である繊維が拭き取り面に占める面積）×１００／（拭き取り面に占める全繊維の面積）　　　　　（１）
【００１２】
本発明の清掃用シートに用いる不織布の目付は１５〜２００ｇ／ｍ２が好ましい。不織布の目付が１５ｇ／ｍ２未満では、清拭中に不織布が破れることがある。また、目付が２００ｇ／ｍ２を越えると、不織布が地厚となりすぎて拭き取り面へ沿いにくくなり、拭き取り性が低下することがある。
清掃用シートの製法としては、一般に用いられているように、一定のサイズにカットし、これに、上記の薬液を一定量含浸させることで作製すればよい。含浸量としては不織布シートに対して、（薬液の重量）／（不織布シートの重量）が１．０〜３．０であることが好ましい。洗浄性の点で含浸量比は１．０以上、薬液が拭き跡として残るのを防止する点で含浸量比は３．０以下が好ましい。
なお、本願の清掃用シートには、本願の効果を損なわない範囲で他の防腐剤、香料等を添加することができる。
【００１３】
本発明について、実施例に基づいて以下具体的に説明する。但し、本発明は以下の実施例でなんら制限されるものではない。
なお、汚れ落とし性、拭き残り性、手触り、防カビ性の評価は下記に示す方法で行った。
（１）汚れ落とし性
市販のサラダ油０．３ｇを５×２０ｃｍのステンレス板に塗布したのち、１３０℃のオーブンで３時間及び、６時間加熱し、食用油汚れが固着した試験板をそれぞれ作製する。試験板上を５×２ｃｍの面積の清掃用シートに５００ｇの荷重をかけながら１０往復させて汚れ落としを行った。目視にて汚れ落ちの面積を判定し、面積に応じて４段階の評価を行った。
◎：ほとんど汚れを落とした。
○：わずかに汚れが残ったがほとんど気にならない。
△：若干汚れのこりがあった。
×：大部分の汚れが落ちなかった。
××：汚れがほとんど落ちなかった。
【００１４】
（２）拭き残り性評価方法
得られた清掃用シートでパネラーに拭き跡等のないきれいなステンレスの表面を５往復清拭させ、表面を乾燥させた。パネラーが拭き取り面を観察して、拭き残りについて３段階で評価した。
５：ほとんど拭き残りが目立たない、又は拭き残りがあっても気にならない。
３：若干拭き残りがあり、拭き残りが少し気になる。
１：拭き残りがあるため、拭き残りが気になり、乾拭きが必要である。
パネラーは２０名とし、その平均点を評価結果とした。
【００１５】
（３）手触り
得られた清掃用シートでパネラーにステンレスの表面を清拭さる際の手触りについて３段階で評価した。
５：ほとんどべたつきが気にならない、又はべたつきがあっても気にならない。
３：若干べたつきがあり、手触りが少し気になる。
１：　べたつきが気になり、手触りが悪い。
パネラーは２０名とし、その平均点を評価結果とした。
【００１６】
（４）防カビ性評価方法
試料の防カビ性の評価は、ハロー法（ＪＩＳ　Ｌ１９０２−１９９０）に準拠して行った。すなわち、黒カビの保存用のサブロー寒天培地（１０ｍｌ）に２週間生育した黒カビ（ＩＦＯ−４４１４）の試験管１本分の分生子を菌糸と共に胞子分散剤（０．００５％ジオクチルスルホコハク酸）１０ｍｌに分散させ、滅菌脱脂綿で濾過し、溶解して４５℃に保った１００ｍｌのサブロー寒天培地に加え、シャ−レ１枚当り１０ｍｌ分注して平板培地を作製した。
得られた清掃用シートを２ｃｍ×２ｃｍの大きさに切り、作製した培地の上におき、２５℃で７日間の培養を行った。評価は、試料の周囲に生育阻止帯（ハロ−）の形成されたものを（−−）、試料上で菌の生育が認められなかったものを（−）、試料上にまで菌の生育の認められたものを（＋）とした。
【００１７】
【参考例１】
５ｋｇのグリセリンに０．５重量％の水酸化ナトリウムを加え２５０℃の温度下で３時間の重合反応を行い、５ｍｍＨｇの減圧下に蒸留、および分子蒸留によりグリセリンおよび、ジグリセリンを除去した。得られたポリグリセリン３００ｇに６０ｇのラウリン酸を加え定法によりエステル化したのち、５０％飽和食塩水で処理して未反応のポリグリセリンを除去し、ポリグリセリン脂肪酸エステルを得た。液体クロマトグラフィーにより、メタノールを溶剤として、カラムにＳｈｏｄｅｘ　　Ａｓａｈｉｐａｋ　ＧＳ−３２０ＨＱを用いて２１０ｎｍの吸収により組成分析を行った。トリグリセリンモノラウリン酸エステルの含有量は６２％であった。
【００１８】
【参考例２】
参考例１で、脂肪酸としてカプリル酸を６０ｇ用いた以外は参考例１と同様にしてポリグリセリン脂肪酸エステルを得た。トリグリセリンモノカプリル酸エステルの含有量は６８％であった。
【００１９】
【参考例３】
参考例１で、グリセリンの重合反応を５時間とし、ラウリン酸の量を２００ｇとした以外は参考例１と同様にしてポリグリセリン脂肪酸エステルを得た。トリグリセリンモノラウリン酸エステルの含有量は５４％であった。
【００２０】
【参考例４】
参考例１で、グリセリンの重合反応を２４時間とし、減圧蒸留によりグリセリンを取り除いたポリグリセリンを得た。得られたポリグリセリン３００ｇにラウリン酸７０ｇを加えてエステル化してポリグリセリン脂肪酸エステルを得た。トリグリセリンモノラウリン酸エステルの含有量は１７％であった。
【００２１】
【実施例１】
参考例１で得られたポリグリセリン脂肪酸エステル５重量％、およびグリセリンモノラウリン酸エステル（理研ビタミン（株）社製ポエムＭ−２００）１重量％となるように精製水に溶解させた薬液を作製した。レーヨンを主体とする不織布（オーミケンシ（株）社製（ＰＸＤ７０５５Ｍ：目付５５ｇ／ｍ２））に対し、２倍重量の薬液を含浸させて、清掃用シートを作製した。汚れ落とし性、拭き残り性、手触り、防カビ性の評価結果を表１に示す。
【００２２】
【実施例２〜４】
ポリグリセリン脂肪酸エステル、グリセリンモノラウリン酸エステルの量を表１に示した量とした以外は実施例１と同様にして清掃用シートを作製した。評価結果を表１に示す。
【００２３】
【実施例５】
参考例２で得られたポリグリセリン脂肪酸エステルを用いた以外は実施例１と同様にして清掃用シートを作製した。評価結果を表１に示す。
【００２４】
【実施例６】
不織布としてアクリル極細繊維９０％とポリエステル繊維１０％からなる不織布（旭化成（株）製（シャレリアＣ１０３０：目付３０ｇ／ｍ２））を用いた以外は実施例１と同様にして清掃用シートを作製した。評価結果を表１に示す。
【００２５】
【実施例７〜９】
ポリグリセリン脂肪酸エステル、グリセリンモノラウリン酸エステルの量を表１に示した量とした以外は実施例６と同様にして清掃用シートを作製した。評価結果を表１に示す。
【００２６】
【実施例１０】
参考例３で得られたポリグリセリン脂肪酸エステルを用いた以外は実施例６と同様にして清掃用シートを作製した。評価結果を表１に示す。
【００２７】
【実施例１１〜１２】
ポリグリセリン脂肪酸エステル、グリセリンモノラウリン酸エステル、およびエタノールの量を表１に記載のとおりとした以外は、実施例６と同様にして清掃用シートを作製した。評価結果を表１に示す。
【００２８】
【実施例１３〜１４】
ポリグリセリン脂肪酸エステル、グリセリンモノラウリン酸エステル、およびエタノールの量を表１に記載のとおりとした以外は、実施例１と同様にして清掃用シートを作製した。評価結果を表１に示す。
【００２９】
【比較例１】
ポリグリセリン脂肪酸エステル、グリセリンモノラウリン酸エステルの量を表１に示した量とした以外は実施例１と同様にして清掃用シートを作製した。評価結果を表１に示す。
【００３０】
【比較例２〜４】
ポリグリセリン脂肪酸エステル、グリセリンモノラウリン酸エステルの量を表１に示した量とした以外は実施例６と同様にして清掃用シートを作製した。評価結果を表１に示す。
【００３１】
【比較例５】
参考例４で得られたポリグリセリン脂肪酸エステルを用いた以外は実施例１と同様にして清掃用シートを作製した。評価結果を表１に示す。
【００３２】
【表１】
2004016560.tif 000002
【００３３】
【発明の効果】
本発明のにより、食品を取り扱う台所周りでの使用に対して安全性が高い、かつ、固着した油汚れの洗浄の効果高さと拭き残り、手触りに優れた使用感を兼ね備えた清掃用シートの提供が可能になった。